(57)【要約】【課題】便秘ぎみで、悩んでいる人も多い。【解決するための手段】プラスティックや、木材や、スチール等の材料を使って、腰かけを作る。腰かけの高さは、足の膝よりも低くする。座る面は、正方形、長方形、円形、楕円形等の中から選び、平面か緩やかな凸面にする。座る面の中央部に、窪みをつけたり、穴をあけたりする。窪みの底面は、楕円形にし、窪みの深さは５ｃｍ程度とする。底面の、楕円形の中央を通る最も長い径は、２０ｃｍ程度、最も短い径は、１５ｃｍ程度で、穴をあける場合も、窪みの底面と同じ大きさにする。座る面と窪みの側面との交わる部分、または、座る面と穴との境界部分は、お尻が痛くないよう、滑らかにする。座る面に、穴をあけたときは、５ｃｍ程下に、クロス状の支えをつける。この椅子に座ると、お尻の肛門辺りが、腰かけの座る面より少し下がり、肛門の穴が四方から引っ張られ、肛門が、開き易い状態になる。肛門が刺激され、便の出やすい状態を作る。【選択図】図１
2007136115.tif 000002
【特許請求の範囲】
【請求項１】
プラスティックや、木材や、スチール等の材料を使って、腰かけを作る。その腰かけの高さは、足の膝よりも低くする。座る面は、正方形、長方形、円形、楕円形等の中から、作りやすいものを選ぶ。座る面は、平面か緩やかな凸面にする。座る面の中央部に、窪みをつけたり、穴をあけたりする。窪みの底面は、楕円形にし、窪みの深さは５ｃｍ程度とする。底面の楕円形の中央を通る最も長い径は、２０ｃｍ程度で、最も短い径は、１５ｃｍ程度とする。座る面に穴をあける場合も、窪みの底面と同じ大きさにする。
【請求項２】
座る面と窪みの側面との交わる部分、あるいは、座る面と穴との境界部分は、座ったとき、お尻が痛くないよう、滑らかにする。
【請求項３】
座る面の中央部に、穴をあけたときは、お尻が必要以上に落ち込まないよう、座る面の５ｃｍ程下に、クロス状の支えをつける。
【発明の詳細な説明】
【技術分野】
【０００１】腰かけに関する
【技術背景】
【０００２】便意を催す為の腰かけは、まだ売られていないと思える
【課題】
【０００３】世間一般、便秘ぎみの人は多く、日頃から悩みの種となっている人は多い。
【問題を解決するための手段】
【０００４】便意をもよおし易くなるような、腰かけを考えた。
【０００５】プラスティックや、木材や、スチール等の材料を使って、腰かけを作る。その腰かけの高さは、足の膝よりも低くする。座る面は、正方形、長方形、円形、楕円形等の中から、作りやすいものを選ぶ。座る面は、平面か緩やかな凸面にする。座る面の中央部に、窪みをつけたり、穴をあけたりする。窪みの底面は、楕円形にし、窪みの深さは５ｃｍ程度とする。底面の楕円形の中央を通る最も長い径は、２０ｃｍ程度で、最も短い径は、１５ｃｍ程度とする。座る面に穴をあける場合も、窪みの底面と同じ大きさにする。
【０００６】座る面と窪みの側面との交わる部分、あるいは、座る面と穴との境界部分は、座ったとき、お尻が痛くないよう、滑らかにする。
【０００７】座る面の中央部に、穴をあけたときは、お尻が必要以上に落ち込まないよう、座る面の５０ｍ程下に、クロス状の支えをつける。
【０００８】この腰かけに座る座り方は、楕円形の中央を通る径の、長い方にお尻の左右をあわせる方法と、短い方に合わせる方法の２通りがある。
【効果】
【０００９】便秘になった人が、トイレ以外で、しゃがんで、便意をもよおし易い姿勢をとっていると、足が疲れることがある。でも、この腰かけを使うと、足が疲れない。
【００１０】お尻の肛門辺りが、腰かけの座る面より少し下がり、肛門の穴が四方から引っ張られ、開き易い状態になる。そのため、肛門が刺激され、便の出やすい状態を作る。
【図面の簡単な説明】
【００１１】
【図１】材料がプラスティックのときの、腰かけの斜視図である。
【図２】図１の平面図である。
【図３】図１の腰かけを図１の平面Ａで切った時の、断面図である。
【図４】材料が木材のときの、腰かけの斜視図である。
【図５】図４の平面図である。
【図６】図４の腰かけを図４の平面Ｂで切った時の、断面図である。
【図７】座る面の材質が木材等で、足の材質がスチールの腰かけの、斜視図である。
【図８】図７の腰かけを裏返して、足を折りたたんだときの斜視図である。
【図９】図１の腰かけに座って、便意が催してくるのを待っている図
【図１０】図４の腰かけに座って、便意が催してくるのを待っている図
【符号の説明】
【００１２】１  座る面
２  窪みの底面
３  窪みの側面
４  腰かけの側面
５  腰かけの足
６  クロス状の支え
７  ５の支え
８  座った時、お尻が痛くならないよう、滑らかにする箇所
９  スチールのパイプで作られた足
１０  ９の補助パイプ
１１  パイプの足を折りたたむための補助具
１２  パイプの足につけるゴム
【図１】
2007136115.tif 000003
【図２】
2007136115.tif 000004
【図３】
2007136115.tif 000005
【図４】
2007136115.tif 000006
【図５】
2007136115.tif 000007
【図６】
2007136115.tif 000008
【図７】
2007136115.tif 000009
【図８】
2007136115.tif 000010
【図９】
2007136115.tif 000011
【図１０】
2007136115.tif 000012
【手続補正書】
【提出日】平成18年7月10日(2006.7.10)
【手続補正１】
【補正対象書類名】明細書
【補正対象項目名】００１２
【補正方法】変更
【補正の内容】
【００１２】１  座る面２  窪みの底面３  窪みの側面４  腰かけの側面５  腰かけの足６  クロス状の支え７  ５の支え８  座った時、お尻が痛くならないよう、滑らかにする箇所９  スチールのパイプで作られた足１０  ９の補助パイプ１１  パイプの足を折りたたむための補助具１２  ゴム
【手続補正２】
【補正対象書類名】図面
【補正対象項目名】図１
【補正方法】変更
【補正の内容】
【図１】
2007136115.tif 000013
【手続補正３】
【補正対象書類名】図面
【補正対象項目名】図２
【補正方法】変更
【補正の内容】
【図２】
2007136115.tif 000014
【手続補正４】
【補正対象書類名】図面
【補正対象項目名】図３
【補正方法】変更
【補正の内容】
【図３】
2007136115.tif 000015
【手続補正５】
【補正対象書類名】図面
【補正対象項目名】図６
【補正方法】変更
【補正の内容】
【図６】
2007136115.tif 000016
【手続補正６】
【補正対象書類名】図面
【補正対象項目名】図７
【補正方法】変更
【補正の内容】
【図７】
2007136115.tif 000017
【手続補正７】
【補正対象書類名】図面
【補正対象項目名】図９
【補正方法】変更
【補正の内容】
【図９】
2007136115.tif 000018
【手続補正書】
【提出日】平成18年10月4日(2006.10.4)
【手続補正１】
【補正対象書類名】明細書
【補正対象項目名】００１１
【補正方法】変更
【補正の内容】
【００１１】
【図１】材料がプラスティックのときの、腰かけの斜視図である。
【図２】図１の平面図である。
【図３】図１の腰かけを図１の平面Ａで切った時の、断面図である。
【図４】材料が木材のときの、腰かけの斜視図である。
【図５】図４の平面図である。
【図６】図４の腰かけを図４の平面Ｂで切った時の、断面図である。
【図７】座る面の材質が木材等で、足の材質がスチールの腰かけの、斜視図である。
【図８】図７の腰かけを裏返して、足を折りたたんだときの斜視図である。
【図９】図１の腰かけの最も長い径に、お尻の左右をあわせて座り、便意が催してくるのを待っている図
【図１０】図１の腰かけの最も短い径に、お尻の左右をあわせて座り、便意が催してくるのを待っている図
【図１１】図４の腰かけに座って、便意が催してくるのを待っている図
【手続補正２】
【補正対象書類名】図面
【補正対象項目名】図１０
【補正方法】変更
【補正の内容】
【図１０】
2007136115.tif 000019
【手続補正３】
【補正対象書類名】図面
【補正対象項目名】図１１
【補正方法】追加
【補正の内容】
【図１１】
2007136115.tif 000020